(57)【要約】  【課題】  ちょう度の低い潤滑剤を使用した場合でも、軸受からの異音の発生を防止することができる玉軸受用保持器を提供する。  【解決手段】  各ポケット３の中心を通りかつ軸受軸線に平行な面と、このポケット３の保持器外径側開口縁および内径側開口縁とが交わる部位のうちいずれか同じ１つの位置に、ポケット面４からの突出量が大きい突起（大）５と、ポケット面４からの突出量が小さい突起（小）６の２種類のどちらかを形成するとともに、これらの突起５，６を、ポケット面４からの突出量が同じ突起どうしが周方向に不等配となるように配置する。以上の構成によって、ポケットとボールの間のガタが低減されるとともに、ボールとの接触状態が円周方向で不均一となり、軸受の回転に起因する保持器の自励振動の発生が抑制される。従って、本発明の玉軸受用保持器は、ちょう度の低い潤滑剤を使用した場合でも、軸受からの異音の発生を防止することができる。【選択図】  図１
2005308120.tif 000002
【特許請求の範囲】
【請求項１】
円周方向の複数箇所に、ボールの表面に略沿った凹球面状のポケット面を有するポケットを備えてなる玉軸受用保持器において、
すべてのポケットには、各ポケットの中心を通りかつ軸受軸線に平行な面と、該ポケットの保持器外径側開口縁および内径側開口縁とが交わる部位のうちいずれか同じ１つの位置に、ポケット面からの突出量が異なる２種類の突起のどちらかが形成されているとともに、これらの突起は、ポケット面からの突出量が同じ突起どうしが、周方向に不等配となるように配置されていることを特徴とする玉軸受用保持器。
【請求項２】
円環状の基体から軸受軸方向に突出する爪部を備えた冠形の玉軸受用保持器であって、
すべてのポケットには、前記爪部の先端に対し軸方向反対側にあたる各ポケット面最奥部の保持器外径側開口縁および内径側開口縁のうちいずれか同じ１つの位置に、請求項１に記載の２種類の突起のどちらかが形成されているとともに、これらの突起は、ポケット面からの突出量が同じ突起どうしが、周方向に不等配となるように配置されていることを特徴とする玉軸受用保持器。
【請求項３】
前記ポケット面からの突出量が異なる２種類の突起に代えて、各ポケットの同じ位置に、ポケット毎に突出量が異なる突起が形成されていることを特徴とする請求項１または請求項２に記載の玉軸受用保持器。
【発明の詳細な説明】
【技術分野】
【０００１】
本発明は、玉軸受に用いられる保持器に関する。
【背景技術】
【０００２】
玉軸受用の保持器として、プラスチックや金属からなる冠形（冠型）、波形またはもみ抜き形のものが用いられている。この玉軸受用保持器には、ボールが嵌め入れられるポケットが、円環状の基体（本体）に周方向一定の間隔で設けられており、そのポケットの内面（ポケット面）は、ボールと相似形状で、かつ、ボールの曲率半径よりも若干大きな曲率半径を有する凹球面状に形成されている。
【０００３】
従来、このような玉軸受用保持器には、高粘度潤滑剤を使用した場合や、高速回転用の玉軸受に用いた場合に、玉軸受の回転時に異音が発生するという問題があった。そこで、この問題を解決する手段として、本出願人らは、すべてのポケットのうちの少なくとも１つのポケットのポケット面における内外周の縁部のうちいずれかの縁部に、ポケット内方に突出した突起を形成する方法を提案している（特許文献１を参照）。
【０００４】
この提案によれば、冠形保持器のポケットの最奥部に１つの突起を設けるか、あるいは、波形・もみ抜き形保持器のポケット軸方向の一端部に１つの突起を設けることにより、従来の突起を持たない保持器に比べ、潤滑剤を介したポケット面−ボール間の滑り抵抗力（トルク）を低減することができる。また、この提案に係る保持器を使用した軸受は、従来の保持器を使用した軸受に比して、音響特性が改善され、異音の発生が防止される。
【０００５】
【特許文献１】特許第３０３５７６６号公報
【発明の開示】
【発明が解決しようとする課題】
【０００６】
ところで、先の提案に係る玉軸受用保持器は、比較的ちょう度の高い潤滑剤を使用した軸受で高い効果が得られるものの、ちょう度の低い潤滑剤を使用した軸受では、十分な効果が得られない場合があった。具体的には、潤滑剤のちょう度が低くなるに連れて、ボールと保持器ポケットの間に潤滑剤が進入し難くなり、保持器の振動が増加して、軸受から異音の発生が見られる場合もあった。
【０００７】
本発明は、上記する課題に対処するためになされたものであり、ちょう度の低い潤滑剤を使用した場合でも、軸受からの異音の発生を防止することができる玉軸受用保持器を提供することを目的としている。
【課題を解決するための手段】
【０００８】
前記の目的を達成するために、請求項１に記載の発明は、円周方向の複数箇所に、ボールの表面に略沿った凹球面状のポケット面を有するポケットを備えてなる玉軸受用保持器において、すべてのポケットには、各ポケットの中心を通りかつ軸受軸線に平行な面と、該ポケットの保持器外径側開口縁および内径側開口縁とが交わる部位のうちいずれか同じ１つの位置に、ポケット面からの突出量が異なる２種類の突起のどちらかが形成されているとともに、これらの突起は、ポケット面からの突出量が同じ突起どうしが、周方向に不等配となるように配置されていることを特徴とする。
【０００９】
本発明は、玉軸受に使用される保持器において、ポケット内面の特定の位置に、該ポケット面からの突出量が異なる大小２種類の突起を、保持器円周方向にランダムな配置となるように形成することによって、所期の目的を達成しようとするものである。
【００１０】
すなわち、請求項１に記載の発明によれば、ポケットの中心を通りかつ軸受軸線に平行な面と、該ポケットの保持器外径側開口縁および内径側開口縁とが交わる部位（例えば、もみ抜き保持器においては各ポケット毎に４箇所）のうち、すべてのポケットの同じ位置に、ポケット面からの突出量が異なる大小２種類の突起のどちらかを形成することにより、ポケット−ボール間のガタが低減される。しかも、これらの突起によって、ポケット−ボール間にすきまが形成され、ちょう度の低い潤滑剤（つまり、比較的硬いグリース）でも、これらの間に容易に進入することが可能になる。
【００１１】
また、これら２種類の突起は、ポケット面からの突出量が同じ突起どうしが、周方向に不等配となるように配置されていることから、ボールとの接触状態が円周方向で不均一となり、軸受の回転に起因する保持器の同期的な振動（自励振動）の発生が抑制される。
【００１２】
なお、これらの突起は、この保持器が組み込まれる玉軸受の固定輪側に形成することが望ましい。なぜならば、この構成によって、ボールは回転輪の回転方向前側でポケット面の回転輪側縁部に接触するようになり、軸受回転中におけるポケット−ボール間のすきまが、回転輪側から固定輪側に向かって徐々に大きくなる形状となるからである。その結果、このすきまがほぼ一定の従来の保持器に比して、潤滑剤を介したポケット−ボール間の滑りトルクを低減することができる。
【００１３】
また、ポケットの一部が軸方向に開口した冠形保持器の場合は、各ポケット面最奥部の保持器外径側開口縁および内径側開口縁のうちいずれか同じ１つの位置に、請求項１に記載の２種類の突起のどちらかを形成するとともに、突出量が同じ突起どうしが周方向に不等配となるように配置すること（請求項２）により、請求項１に記載の発明と同様の作用を得ることができる。
【００１４】
また更に、前記ポケット面からの突出量が異なる２種類の突起に代えて、各ポケット面の同じ位置に、ポケット毎に突出量が異なる突起を形成しても良い（請求項３）。
【００１５】
この構成によっても、請求項１または請求項２に記載の発明と同等の作用を期待できる。しかしながら、この構成は、保持器の寸法やポケットの数、軸受が使用される条件や各突起間の微妙な高低差などによって、効果が大きく異なる可能性があり、製品化に先だった検証作業に時間がかかる恐れがある。
【発明の効果】
【００１６】
以上のように、本発明の玉軸受用保持器によれば、ちょう度の低い潤滑剤を使用した場合でも、潤滑剤の良好な循環が維持され、焼付き等の軸受トラブルの発生を抑えることができるとともに、保持器の振動に起因する異音の発生を防止することが可能になる。
【発明を実施するための最良の形態】
【００１７】
以下、図面を参照しつつこの発明を実施するための形態について説明する。
図１は、本発明の第１実施形態における玉軸受用保持器の外観斜視図であり、図２はこの玉軸受用保持器に設けられているポケットの拡大図、図３はこの玉軸受用保持器を軸方向からみた端面図である。また、図４は、本発明の第１実施形態における玉軸受用保持器を使用した深溝玉軸受の構成例を示す軸平行方向断面図である。なお、以下図面のおいては、ポケット内に形成された突起の判別を容易にするために、その大きさが誇張して描かれている。
【００１８】
この第１実施形態における玉軸受用保持器は、その円周方向に一定の間隔でポケット３，３，・・・が設けられた冠形保持器（冠型保持器）である。この冠形保持器は、ポリアミド等の樹脂を用いて形成されており、各ポケット３は、従来の冠形保持器と同様、円環状の基体（環状部１）と、この環状部１から軸方向に突出し、各ポケット３の一部を構成する一対の爪部２，２とによって形成されている。また、各ポケット３の内面（ポケット面４）は、嵌め入れられるボール（図示省略）の曲率半径よりも若干大きな曲率半径を有する凹球面に形成されており、このボールを確実に保持できるようになっている。
【００１９】
本実施形態における冠形保持器の特徴は、各ポケット面４における保持器外径側の開口縁部の最奥部に、このポケット面４からポケット３内方に向けて突出する２種類の突起（５または６）のどちらかが形成されている点である。これらの突起５，６は、図２（ａ）のようにポケット面４からの突出量Ｈ１が大きい突起（大）５と、図２（ｂ）のようにポケット面４からの突出量Ｈ２が小さい突起（小）６の２種類のどちらかに形成されており、図３のように、同じ種類の突起どうしが周方向に不等配となるように配置されている。
【００２０】
なお、図４のように、深溝玉軸受に組み込まれた状態においては、主として突起５（あるいは６）の先端部がボール１０に接触することから、この冠形保持器は、従来の突起を持たない冠形保持器を使用した場合に比べ、軸方向外側に若干ずれた位置で回転することとなる。
【００２１】
また、これらの突起５，６は、その突出量が保持器外径側から内径側に向かって徐々に低くなる円錐形状であるとともに、ボール１０が爪部２側のポケット面４に押し付けられるのを避けるべく、その突出量（高さ）は、大きい方の突起（大）５でも、ボール１０の曲率半径とポケット面４の曲率半径との差の２倍を越えないように設定されている。
【００２２】
以上の構成によって、この冠形保持器は、ポケット３とボールの間のガタが低減されるとともに、ボールとの接触状態が円周方向で不均一となり、軸受の回転に起因する保持器の自励振動の発生を抑制することができる。従って、本実施形態における冠形保持器は、ちょう度の低い潤滑剤を使用した場合でも、軸受からの異音の発生を防止することができる。
【００２３】
また、これらの突起５，６によってポケット−ボール間に形成されるすきまにより、ちょう度の低い潤滑剤でもこれらの間に進入することが容易になることから、軸受の良好な潤滑が維持される。
【００２４】
なお、以上の実施形態においては、各ポケット面４における保持器外径側の開口縁部の最奥部に突起５，６を形成した例を示したが、これらの突起５，６は、各ポケット面４における保持器内径側の開口縁部の最奥部に形成しても良い。
【００２５】
次に、本発明の第２実施形態を説明する。
図５は、本発明の第２実施形態における玉軸受用保持器の外観斜視図である。
【００２６】
この第２実施形態における玉軸受用保持器は、その円周方向に一定の間隔でポケット２１，２１，・・・が設けられた波形保持器であり、その基本的な構成は、従来公知の波形保持器と同様である。
【００２７】
この波形保持器の特徴は、各ポケット２１の中心Ｏｐを通り、かつ、組み込まれる軸受の軸線に平行な面（仮想面Ｐ）と、このポケット２１の保持器外径側開口縁および内径側開口縁とが交わる部位（図中Ａ，ＢおよびＣ，Ｄ）のうち、すべてのポケット２１の同じ位置（部位Ａ）に、ポケット面２２からポケット２１内方に向けて突出する２種類の突起（２３または２４）のどちらかが形成されている点である。
【００２８】
また、これらの突起２３，２４は、第１実施形態と同様、ポケット面２２からの突出量が大きい突起（大）２３と、ポケット面２２からの突出量が小さい突起（小）２４の２種類のどちらかに形成されており、同じ種類の突起どうしが周方向に不等配となるように配置されているとともに、その突出量は、大きい方の突起（大）２３でも、嵌め入れられるボールの曲率半径とポケット面２２の曲率半径との差の２倍を越えないように設定されている。
【００２９】
以上の構成によって、この波形保持器は、第１実施形態と同様、ボールとの接触状態が円周方向で不均一となり、ちょう度の低い潤滑剤を使用した場合でも、軸受の回転に起因する保持器の自励振動の発生を抑制することができる。また、これらの突起２３，２４によってポケット−ボール間に形成されるすきまにより、軸受の良好な潤滑が維持される。
【００３０】
次に、本発明の第３実施形態を説明する。
図６は、本発明の第２実施形態における玉軸受用保持器の外観斜視図である。
【００３１】
この第３実施形態における玉軸受用保持器は、その円周方向に一定の間隔でポケット３１，３１，・・・が設けられたもみ抜き保持器であり、その基本的な構成は、従来公知のもみ抜き保持器と同様である。
【００３２】
このもみ抜き保持器の特徴は、各ポケット３１の中心Ｏｐを通り、かつ、組み込まれる軸受の軸線に平行な面（仮想面Ｐ）と、このポケット３１の保持器外径側開口縁および内径側開口縁とが交わる部位（Ａ，ＢおよびＣ，Ｄ）のうち、すべてのポケット３１の同じ位置（部位Ａ）に、ポケット面３２からポケット３１内方に向けて突出する２種類の突起（３３または３４）のどちらかが形成されている点である。
【００３３】
また、これらの突起３３，３４は、第１，２実施形態と同様、ポケット面３２からの突出量が大きい突起（大）３３と、ポケット面３２からの突出量が小さい突起（小）３４の２種類のどちらかに形成されており、同じ種類の突起どうしが周方向に不等配となるように配置されているとともに、その突出量は、大きい方の突起（大）３３でも、嵌め入れられるボールの曲率半径とポケット面３２の曲率半径との差の２倍を越えないように設定されている。
【００３４】
以上の構成によって、この波形保持器は、第１，２実施形態と同様、ボールとの接触状態が円周方向で不均一となり、ちょう度の低い潤滑剤を使用した場合でも、軸受の回転に起因する保持器の自励振動の発生が抑制される。また、これらの突起３３，３４によって、軸受の良好な潤滑を維持することができる。
【００３５】
なお、以上の第２および第３実施形態においては、すべての突起を部位Ａに形成した例を示したが、これらの突起は図中の部位Ａ，ＢおよびＣ，Ｄのうちのいずれか同じ位置に形成すれば良い。しかしながら、これらの突起は、保持器が組み込まれる玉軸受の固定輪側に形成することが望ましいことは、先述したとおりである。
【００３６】
また、すべての実施形態において、形成される突起の形状はこれらの例に限定されるものではなく、例えば半球状や、先端が二こぶ状に分かれているもの等でも良い。また更に、突起のポケット面からの突出量を、ポケット毎に変えても良い。
【００３７】
本発明は、例示した冠形保持器、波形保持器やもみ抜き保持器ばかりでなく、凹球面状のポケットでボールを保持する玉軸受用保持器すべてに適用することができる。
【図面の簡単な説明】
【００３８】
【図１】本発明の第１実施形態における玉軸受用保持器の外観斜視図である。
【図２】本発明の第１実施形態における玉軸受用保持器に設けられたポケットの拡大図であり、（ａ）は突出量の大きな突起が形成されたポケット、（ｂ）は突出量の小さな突起が形成されたポケットを表す。
【図３】本発明の第１実施形態における玉軸受用保持器を軸方向から見た端面図である。
【図４】本発明の第１実施形態における玉軸受用保持器を使用した深溝玉軸受の構成例を示す軸平行方向断面図である。
【図５】本発明の第２実施形態における玉軸受用保持器の外観斜視図である。
【図６】本発明の第３実施形態における玉軸受用保持器の外観斜視図である。
【符号の説明】
【００３９】
１    環状部（基体）
２    爪部
３    ポケット
４    ポケット面
５    突起（大）
６    突起（小）
１０  ボール
１１  内輪
１２  外輪
１３  シール部材
２１  ポケット
２２  ポケット面
２３  突起（大）
２４  突起（小）
３１  ポケット
３２  ポケット面
３３  突起（大）
３４  突起（小）
jim
【図１】
2005308120.tif 000003
【図２】
2005308120.tif 000004
【図３】
2005308120.tif 000005
【図４】
2005308120.tif 000006
【図５】
2005308120.tif 000007
【図６】
2005308120.tif 000008